(57)【要約】【課題】消費電力の低減を図りながら画像品質を可能な限り維持することを可能にする。【解決手段】デジタル放送データを受信して画像を表示するデジタル放送受信機１０において、画像処理／表示出力部３２には複数の画像処理回路が設けられている。電源部１６は、外部電源（ＡＣ）と電池の何れが電源供給源であるかを判別し、Ｉ／Ｏ部２４を通じてＣＰＵ２０に通知する。ＣＰＵ２０は、電源供給源が前記電池であると判別された場合に、画像処理／表示出力部３２の複数の画像処理回路から画像処理に使用する画像処理回路を選択して、映像デコード部３０によってデコードされた映像データに対して画像処理を実行させる。【選択図】      図２
2005192134.tif 000002
【特許請求の範囲】
【請求項１】
デジタル放送データを受信して画像を表示するデジタル放送受信機において、
複数の画像処理回路と、
外部電源と電池の何れが電源供給源であるかを判別する電源判別手段と、
前記電源判別手段によって電源供給源が前記電池であると判別された場合に、前記複数の画像処理回路から画像処理に使用する画像処理回路を選択する選択手段と
を具備したことを特徴とするデジタル放送受信機。
【請求項２】
デジタル放送データを受信して画像を表示するデジタル放送受信機において、
複数の画像処理回路と、
電源供給源である電池の残量を検出する残量検出手段と、
前記残量検出手段によって検出された残量に応じて、前記複数の画像処理回路から画像処理に使用する画像処理回路を選択する選択手段と
を具備したことを特徴とするデジタル放送受信機。
【請求項３】
前記残量検出手段によって検出された残量に応じた、前記複数の画像処理回路のうち所定の画像処理回路の組み合わせを決定する決定手段とをさらに具備し、
前記選択手段は、前記決定手段によって決定された組み合わせに該当する画像処理回路を選択することを特徴とする請求項２記載のデジタル放送受信機。
【請求項４】
前記残量検出手段によって検出された残量に応じて、前記複数の画像処理回路を選択的に組み合わせて使用した場合のそれぞれの組み合わせにおける視聴可能時間を算出する時間算出手段と、
前記時間算出手段によって算出された使用可能時間を選択させるための画面を表示させる選択画面表示手段と、
前記選択画面表示手段によって表示された使用可能時間を選択する指示を入力する指示入力手段とをさらに具備し、
前記選択手段は、前記指示入力手段によって入力された指示が示す使用可能時間に応じた組み合わせの画像処理回路を選択することを特徴とする請求項２記載のデジタル放送受信機。
【請求項５】
デジタル放送データを受信して画像を記録するデジタル放送記録装置において、
複数の画像処理回路と、
外部電源と電池の何れが電源供給源であるかを判別する電源判別手段と、
前記電源判別手段によって電源供給源が前記電池であると判別された場合に、前記複数の画像処理回路から画像処理に使用する画像処理回路を選択する選択手段と、
前記選択手段によって選択された画像処理回路により処理された画像を記録する画像記録手段と
を具備したことを特徴とするデジタル放送記録装置。
【請求項６】
デジタル放送データを受信して画像を記録するデジタル放送記録装置において、
複数の画像処理回路と、
電源供給源である電池の残量を検出する残量検出手段と、
前記残量検出手段によって検出された残量に応じて、前記複数の画像処理回路から画像処理に使用する画像処理回路を選択する選択手段と、
前記選択手段によって選択された画像処理回路により処理された画像を記録する画像記録手段と
を具備したことを特徴とするデジタル放送記録装置。
【発明の詳細な説明】
【技術分野】
【０００１】
本発明は、デジタルテレビ放送を受信するデジタル放送受信機に関する。
【背景技術】
【０００２】
近年のテレビ受像機は、輪郭補正、コントラスト自動調整、γ補正、Ｉ／Ｐ（interlace／progressive）変換など、各種の画像処理技術を用いた処理を実行することで高画質化を実現している。特に、デジタル放送データを受信するデジタルテレビ受像機では高解像度化が実現されている。
【０００３】
従来の据え置き型のテレビ受像機は、通常、ＡＣ電源を電源供給源としているため消費電力を考慮することなく上述したような高度の画像処理技術を用いて高画像化を図ることができる。
【０００４】
一方、携帯型のテレビ受像機では、バッテリ駆動での利用が想定されるが、このような高度な画像技術を用いると多くの電力を消費してしまうため、電池寿命が短くなり、動作可能時間が短くなってしまう。
【０００５】
従来、電池駆動される装置において、消費電力を低減する機能を有する携帯端末装置が考えられている（例えば、特許文献１）。特許文献１に記載された携帯端末装置は、テレビ会議端末として使用されるもので、電池残量が一定値以下になると画像データの送信を中止し、音声データのみを送信することで、電力消費の低減を図っている。
【特許文献１】特開平９−１８６９８１号公報
【発明の開示】
【発明が解決しようとする課題】
【０００６】
特許文献１に記載された装置のように、機能の一部（画像データの送信）を中止することで消費電力の低減を図ることができるが、テレビ受像機において画像を表示させないようにすると、テレビ受像機としての役割を果たせないことになってしまう。従って、画像を表示しながら、消費電力の低減を図ることが求められる。
【０００７】
本発明の課題は、消費電力の低減を図りながら画像品質を可能な限り維持することが可能なデジタル放送受信機、及びデジタル放送記録装置を提供することにある。
【課題を解決するための手段】
【０００８】
請求項１記載の発明は、デジタル放送データを受信して画像を表示するデジタル放送受信機において、複数の画像処理回路と、外部電源と電池の何れが電源供給源であるかを判別する電源判別手段と、前記電源判別手段によって電源供給源が前記電池であると判別された場合に、前記複数の画像処理回路から画像処理に使用する画像処理回路を選択する選択手段とを具備したことを特徴とする。
【０００９】
請求項２記載の発明は、デジタル放送データを受信して画像を表示するデジタル放送受信機において、複数の画像処理回路と、電源供給源である電池の残量を検出する残量検出手段と、前記残量検出手段によって検出された残量に応じて、前記複数の画像処理回路から画像処理に使用する画像処理回路を選択する選択手段とを具備したことを特徴とする。
【００１０】
請求項３記載の発明は、請求項２記載の発明において、前記残量検出手段によって検出された残量に応じた、前記複数の画像処理回路のうち所定の画像処理回路の組み合わせを決定する決定手段とをさらに具備し、前記選択手段は、前記決定手段によって決定された組み合わせに該当する画像処理回路を選択することを特徴とする。
【００１１】
請求項４記載の発明は、請求項２記載の発明において、前記残量検出手段によって検出された残量に応じて、前記複数の画像処理回路を選択的に組み合わせて使用した場合のそれぞれの組み合わせにおける視聴可能時間を算出する時間算出手段と、前記時間算出手段によって算出された使用可能時間を選択させるための画面を表示させる選択画面表示手段と、前記選択画面表示手段によって表示された使用可能時間を選択する指示を入力する指示入力手段とをさらに具備し、前記選択手段は、前記指示入力手段によって入力された指示が示す使用可能時間に応じた組み合わせの画像処理回路を選択することを特徴とする。
【００１２】
請求項５記載の発明は、デジタル放送データを受信して画像を記録するデジタル放送記録装置において、複数の画像処理回路と、外部電源と電池の何れが電源供給源であるかを判別する電源判別手段と、前記電源判別手段によって電源供給源が前記電池であると判別された場合に、前記複数の画像処理回路から画像処理に使用する画像処理回路を選択する選択手段と、前記選択手段によって選択された画像処理回路により処理された画像を記録する画像記録手段とを具備したことを特徴とする。
【００１３】
請求項６記載の発明は、デジタル放送データを受信して画像を記録するデジタル放送記録装置において、複数の画像処理回路と、電源供給源である電池の残量を検出する残量検出手段と、前記残量検出手段によって検出された残量に応じて、前記複数の画像処理回路から画像処理に使用する画像処理回路を選択する選択手段と、前記選択手段によって選択された画像処理回路により処理された画像を記録する画像記録手段とを具備したことを特徴とする。
【発明の効果】
【００１４】
請求項１記載の発明によれば、デジタル放送データを受信して画像を表示するために、外部電源と電池の何れが電源供給源であるかを判別し、電源供給源が電池であると判別された場合には画像処理に使用する画像処理回路を選択することで、消費電力の低減を図りながら画像品質を可能な限り維持することが可能となる。
【００１５】
請求項２記載の発明によれば、デジタル放送データを受信して画像を表示するために、電源供給源である電池の残量を検出し、この残量に応じて複数の画像処理回路から画像処理に使用する画像処理回路を選択することで、消費電力の低減を図りながら画像品質を可能な限り維持することが可能となる。
【００１６】
請求項３記載の発明によれば、請求項２の発明の効果に加えて、電池の残量に応じて、複数の画像処理回路のうち所定の画像処理回路の組み合わせを決定するので、電池の残量に応じた予想視聴可能時間を確保することができるように消費電力の低減を図りながら、画像品質を可能な限り維持することが可能となる。
【００１７】
請求項４記載の発明によれば、請求項２の発明の効果に加えて、電池の残量に応じて、複数の画像処理回路を選択的に組み合わせて使用した場合のそれぞれの組み合わせにおける視聴可能時間を算出し、この算出された使用可能時間を選択させるための画面を表示させて、ユーザによって選択させるようにすることで、消費電力の低減を図りながら、ユーザが所望する画像品質を維持することが可能となる。
【００１８】
請求項５記載の発明によれば、デジタル放送データを受信して画像を記録するために、外部電源と電池の何れが電源供給源であるかを判別し、電源供給源が電池であると判別された場合には画像処理に使用する画像処理回路を選択し、この選択された画像処理回路により処理された画像を記録することで、消費電力の低減を図りながら画像品質を可能な限り維持して記録することが可能となる。
【００１９】
請求項６記載の発明によれば、デジタル放送データを受信して画像を記録するために、電源供給源である電池の残量を検出し、この残量に応じて複数の画像処理回路から画像処理に使用する画像処理回路を選択し、この選択された画像処理回路により処理された画像を記録することで、消費電力の低減を図りながら画像品質を可能な限り維持して記録することが可能となる。
【発明を実施するための最良の形態】
【００２０】
以下、図面を参照して本発明の実施の形態について説明する。  
図１は、本実施形態におけるデジタル放送受信機１０のシステム構成を示すブロック図である。デジタル放送受信機１０は、本体部１２、アンテナ１４、電源部１６、表示デバイス１８が設けられている。本体部１２にはＣＰＵ２０、メインメモリ２１、ＲＯＭ２２、フラッシュメモリ２３、Ｉ／Ｏ部２４、チューナ２６、復調部２７、デコード部２８、音声デコード部２９、映像デコード部３０、画像処理／表示出力部３２などが設けられている。
【００２１】
アンテナ１４は、デジタル放送データの電波を受信して。本体部１２のチューナ２６に出力する。
【００２２】
電源部１６は、デジタル放送受信機１０が動作するために必要な電源供給を受け付ける。電源部１６は、電源供給源として外部電源であるＡＣ（交流）電源と電池（バッテリ）の何れかを選択して受け付けることができる。電源部１６には、ＡＣアダプタの挿入を検出するスイッチが設けられており（図示せず）、このスイッチがオン状態となったことにより電源供給源がＡＣであると判別する。スイッチがオフ状態である場合には、電池が電源供給源であると判別する。また、電源部１６には、電池の電圧を検出する機能が設けられており、電源供給源としている電池の電圧状態、すなわち電池残量を検出することができる。電源部１６により検出される電源供給源、及び状態バッテリ供給である場合に電池の電圧状態を示す情報は、本体部１２のＩ／Ｏ部２４によって割り込みによりＣＰＵ２０に通知される。
【００２３】
ＣＰＵ２０は、デジタル放送受信機１０の全体を制御するもので、メインメモリ２１に記憶されたプログラムを実行することで各部を制御する。ＣＰＵ２０は、Ｉ／Ｏ部２４から通知される電源供給源及び電圧状態に応じて、画像処理／表示出力部３２を構成する複数の画像処理回路を選択的に有効にすることで、消費電力の低減を図りながら画像品質を可能な限り維持することができるように制御する機能を実現する。
【００２４】
メインメモリ２１は、ＣＰＵ２０により実行される各種プログラムやデータなどが記憶される。
【００２５】
ＲＯＭ２２及びフラッシュメモリ２３は、各種プログラムやデータが記憶されており、ＣＰＵ２０によりアクセスされる。
【００２６】
Ｉ／Ｏ部２４は、電源部１６により検出される電源供給源や電源状態を示すデータを、割り込み処理によってＣＰＵ２０に通知する。
【００２７】
チューナ２６は、アンテナ１４により受信されるデジタル放送信号から、ユーザによって指定された所望のチャンネルの信号を選択する。
【００２８】
復調部２７は、チューナ２６によって選択された信号をデジタル化（符号化）する。
【００２９】
デコード部２８は、復調部２７によってデジタル化されたデータから音声データと映像データを分割し、それぞれを音声デコード部２９、映像デコード部３０に出力する。
【００３０】
音声デコード部２９は、デコード部２８により得られた音声データをデコードして、音声出力端子を通じて音声出力デバイス、例えばスピーカから音声を出力させる。
【００３１】
映像デコード部３０は、デコード部２８によって得られた映像データをデコードして、画像処理／表示出力部３２に出力する。
【００３２】
画像処理／表示出力部３２は、映像デコード部３０によってデコードされた映像データに対して各種の画像処理技術を用いた画像処理を施して、映像質端子を通じて表示デバイス１８、例えば液晶ディスプレイにおいて映像（画像）を表示出力させる。画像処理／表示出力部３２は、各種の画像処理技術を用いた画像処理を実行するための複数の画像処理回路が設けられており、ＣＰＵ２０の制御によって選択される特定の画像処理回路（所定の画像処理回路の組み合わせ）のみを動作させることができる。
【００３３】
図２には、画像処理／表示出力部３２の詳細な構成を示している。  
図２に示すように、画像処理／表示出力部３２には入力画像記憶部４０、スケーリング部４１、Ｉ／Ｐ変換処理部４２、コントラスト自動調整部４３、輪郭補正処理部４４、出力画像記憶部４５、フレームメモリ４６、２次元処理部４７、３次元処理部４８、動き適応型処理部４９、前画像フレームメモリ５０などの複数の画像処理回路が設けられている。各画像処理回路は、ハードウェアによって実現されており、動作を停止させることで消費電力の低減を図ることができる。なお、図２に示す画像処理／表示出力部３２の構成は一例であって、その他の画像処理方法を実現する構成を有していても良い。
【００３４】
入力画像記憶部４０は、映像デコード部３０によりデコードされた画像データが記憶される。
【００３５】
スケーリング部４１は、２分割表示などによる表示サイズを変換する。
【００３６】
Ｉ／Ｐ変換処理部４２は、インタレース映像をプログレッシブ映像に変換する。
【００３７】
コントラスト自動調整部４３は、輝度レベルを検知して、最も映像成分の多い輝度領域に多くの階調を割り当てる処理を実行する。
【００３８】
輪郭補正処理部４４は、斜線や曲線において滑らかになるように色を調整する。
【００３９】
出力画像記憶部４５は、各画像処理部において処理された画像データが記憶される。
【００４０】
フレームメモリ４６は、処理対象とする画像フレームの画像データを記憶する。
【００４１】
２次元処理部４７は、スケーリング部４１、Ｉ／Ｐ変換処理部４２、コントラスト自動調整部４３、及び輪郭補正処理部４４による画像処理における有効解決手段として２次元処理を実行するもので、注目画素に対する上下左右など１画像中の近傍の画素を参考にした処理を実行する。
【００４２】
３次元処理部４８は、２次元処理部４７と同様に各画像処理部における有効解決手段として３次元処理を実行するもので、２次元処理に加えて前画像フレームメモリ５０に記憶される前画像を参考にした処理を実行する。
【００４３】
動き適応型処理部４９は、２次元処理部４７と同様に各画像処理部における有効解決手段として動き適応型処理を実行するもので、３次元処理に加えて前画像フレームメモリ５０に記憶される前画像を参考に動き部分を検出しながら処理を実行する。
【００４４】
前画像フレームメモリ５０は、３次元処理部４８及び動き適応型処理部４９における処理を実行するために、前画像フレームの画像データを記憶する。
【００４５】
（第１実施形態）  
第１実施形態におけるデジタル放送受信機１０の動作について説明する。  
第１実施形態では、電源供給源が外部のＡＣアダプタを通じて供給されるか、あるいは電池から供給されるかに応じて、画像処理／表示出力部３２を構成する各画像処理部を選択的に使用して画像処理を実行させる。
【００４６】
第１実施形態では、図３（ａ）に示す各電源供給状態に応じて、画像処理／表示出力部３２を構成する複数の画像処理回路から画像処理に用いる画像処理回路が選択されるものとする。すなわち、電源供給源がＡＣ電源であるか電池であるか、さらに電源供給源が電池である場合に電池残量（寿命）が３０％以上、３０％未満〜２０％以上、２０％未満〜１０％以上の場合のそれぞれの電源供給状態に応じて画像処理回路が選択されるものとする。
【００４７】
次に、第１実施形態の画像処理／表示出力部３２における動作について、図４に示すフローチャートを参照しながら説明する。
【００４８】
電源部１６は、ＡＣアダプタが挿入された状態にあるか、すなわち電源供給源がＡＣであるか、あるいは電池であるかを判別する。Ｉ／Ｏ部２４は、電源部１６により判別される電源供給源を示す情報を、割り込み処理によってＣＰＵ２０に対して通知する。
【００４９】
まず、ＡＣアダプタによって電力が供給されている場合、電池寿命を考慮する必要がないため、ＣＰＵ２０は、画像処理／表示出力部３２に対して、最高の画質特性が得られる画像処理が実行されるように画像処理回路を選択する。
【００５０】
例えば、画像処理／表示出力部３２における２次元処理部４７、３次元処理部４８のブロックの機能を停止させ、その他の画像処理回路を用いて画像処理が実行されるように制御する。
【００５１】
画像処理／表示出力部３２は、映像デコード部３０によってデコードされた映像データを入力画像記憶部４０を介して入力し（ステップＡ１）、フレームメモリ４６に記憶する（ステップＡ４）。
【００５２】
動き適応型処理部４９は、フレームメモリ４６に記憶された現画像をフレームメモリ４６から読み出し（ステップＡ１０）、また前画像フレームメモリ５０に記憶されている前画像データを読み出し（ステップＡ２１）、２つの画像データを比較して動きベクトルを算出し（ステップＡ２２）、この算出した動きベクトルを記憶する。スケーリング部４１は、動き適応型処理部４９によって算出された動きベクトルを読み出し（ステップＡ２４）、この動きベクトルを用いて現画像データに対してスケーリング処理を実行して、この結果得られた画像データをフレームメモリ４６に書き込む（ステップＡ２５）。
【００５３】
次に、Ｉ／Ｐ変換処理部４２は、動き適応型処理部４９によって算出された動きベクトルを読み出し（ステップＡ２６）、スケーリング処理された画像データと前画像フレームメモリ５０に記憶されている前画像データとを比較し、動きベクトルを用いてＩ／Ｐ変換処理する。Ｉ／Ｐ変換処理部４２は、Ｉ／Ｐ変換処理によって得られた画像データをフレームメモリ４６に書き込む（ステップＡ２７）。
【００５４】
次に、コントラスト自動調整部４３は、動き適応型処理部４９によって算出された動きベクトルを読み出し（ステップＡ２８）、Ｉ／Ｐ変換処理された画像データと前画像フレームメモリ５０に記憶されている前画像データとを比較し、動きベクトルを用いてコントラスト調整処理する。コントラスト自動調整部４３は、コントラスト調整処理によって得られた画像データをフレームメモリ４６に書き込む（ステップＡ２９）。
【００５５】
次に、輪郭補正処理部４４は、動き適応型処理部４９によって算出された動きベクトルを読み出し（ステップＡ３０）、コントラスト調整された画像データと前画像フレームメモリ５０に記憶されている前画像データとを比較し、動きベクトルを用いて輪郭補正処理する。輪郭補正処理部４４は、輪郭補正処理によって得られた画像データをフレームメモリ４６に書き込む（ステップＡ３１）。
【００５６】
一連の処理が終了した後、動き適応型処理部４９は、フレームメモリ４６に記憶された現画像データを前画像フレームメモリ５０に記憶させて、次のフレームの画像データに対する処理のための準備をする（ステップＡ２０）。
【００５７】
画像処理／表示出力部３２は、フレームメモリ４６に記憶された輪郭補正処理が施された画像データを出力画像データとして処理し、出力画像記憶部４５を介して表示デバイス１８へ出力させる（ステップＡ３）。
【００５８】
以下同様にして、順次、次のフレームの画像データに対して画像処理を施して、表示デバイス１８において表示させる。
【００５９】
こうして、電源供給源がＡＣである場合には、全ての画像処理技術を用いて、最も画像品質の向上が図れるように画像処理回路が選択されて、画像データに対して画像処理が施される。
【００６０】
次に、電池から電力供給されている場合について説明する。  
ＣＰＵ２０は、Ｉ／Ｏ部２４から電源供給源が電池であり、電池残量（寿命）が３０％以上であることを示す情報が通知されたものとする。この場合、ＣＰＵ２０は、画像処理／表示出力部３２に対して、高い画質特性が得られる画像処理が実行されるように画像処理回路を選択する。
【００６１】
例えば、画像処理／表示出力部３２における２次元処理部４７、動き適応型処理部４９の機能を停止させ、その他の画像処理回路を用いて画像処理が実行されるように制御する。
【００６２】
画像処理／表示出力部３２は、映像デコード部３０によってデコードされた映像データを入力画像記憶部４０を介して入力し（ステップＡ１）、フレームメモリ４６に記憶する（ステップＡ４）。
【００６３】
３次元処理部４８は、フレームメモリ４６に記憶された現画像をフレームメモリ４６から読み出し（ステップＡ１０）、また前画像フレームメモリ５０に記憶されている前画像データを読み出し（ステップＡ１２）、例えば前画像データと上下左右の近傍の画素とを比較する３次元処理を実行する。スケーリング部４１は、３次元処理部４８による３次元処理の結果を用いて現画像データに対してスケーリング処理を実行して、この結果得られた画像データをフレームメモリ４６に書き込む（ステップＡ１３）。
【００６４】
次に、Ｉ／Ｐ変換処理部４２は、３次元処理部４８によって前画像フレームメモリ５０から読み出された前画像データを用いて実行された３次元処理の結果を用いてＩ／Ｐ変換処理を実行し、その結果得られた画像データをフレームメモリ４６に書き込む（ステップＡ１４，Ａ１５）。
【００６５】
次に、コントラスト自動調整部４３は、同様にして、３次元処理部４８によって前画像フレームメモリ５０から読み出された前画像データを用いて実行された３次元処理の結果を用いてコントラスト調整処理を実行し、その結果得られた画像データをフレームメモリ４６に書き込む（ステップＡ１６，Ａ１７）。
【００６６】
次に、コントラスト自動調整部４３は、同様にして、３次元処理部４８によって前画像フレームメモリ５０から読み出された前画像データを用いて実行された３次元処理の結果を用いて輪郭補正処理を実行し、その結果得られた画像データをフレームメモリ４６に書き込む（ステップＡ１８，Ａ１９）。
【００６７】
一連の処理が終了した後、３次元処理部４８は、フレームメモリ４６に記憶された現画像データを前画像フレームメモリ５０に記憶させて、次のフレームの画像データに対する処理のための準備をする（ステップＡ２０）。
【００６８】
画像処理／表示出力部３２は、フレームメモリ４６に記憶された輪郭補正処理が施された画像データを出力画像データとして処理し、出力画像記憶部４５を介して表示デバイス１８へ出力させる（ステップＡ３）。
【００６９】
以下同様にして、順次、次のフレームの画像データに対して画像処理を施して、表示デバイス１８において表示させる。
【００７０】
こうして、電源供給源が電池であり、電池残量が十分にある場合（３０％以上）には、高画像品質となるように画像処理回路が選択されて、画像データに対して画像処理が施される。
【００７１】
次に、電池残量（寿命）が３０％未満〜２０％以上であることを示す情報が通知された場合について説明する。  
この場合、ＣＰＵ２０は、例えば、画像処理／表示出力部３２における入力画像記憶部４０、スケーリング部４１、Ｉ／Ｐ変換処理部４２、出力画像記憶部４５、フレームメモリ４６、２次元処理部４７の画像処理回路のみを用いて画像処理を行う。
【００７２】
画像処理／表示出力部３２は、映像デコード部３０によってデコードされた映像データを入力画像記憶部４０を介して入力し（ステップＡ１）、フレームメモリ４６に記憶する（ステップＡ４）。
【００７３】
２次元処理部４７は、フレームメモリ４６に記憶された現画像をフレームメモリ４６から読み出し（ステップＡ６）、注目画素に対する上下左右の近傍の画素とを比較する２次元処理を実行する。スケーリング部４１は、２次元処理部４７による２次元処理の結果を用いて現画像データに対してスケーリング処理を実行して、この結果得られた画像データをフレームメモリ４６に書き込む（ステップＡ７）。
【００７４】
次に、Ｉ／Ｐ変換処理部４２は、２次元処理部４７によって前画像フレームメモリ５０から読み出された前画像データを用いて実行された２次元処理の結果を用いてＩ／Ｐ変換処理を実行し、その結果得られた画像データをフレームメモリ４６に書き込む（ステップＡ８，Ａ９）。
【００７５】
画像処理／表示出力部３２は、フレームメモリ４６に記憶されたＩ／Ｐ変換処理が施された画像データを出力画像データとして処理し、出力画像記憶部４５を介して表示デバイス１８へ出力させる（ステップＡ３）。
【００７６】
以下同様にして、順次、次のフレームの画像データに対して画像処理を施して、表示デバイス１８において表示させる。
【００７７】
こうして、電源供給源が電池であり、電池残量が残り少なくなってきた場合（３０％未満）には、画像データに対して施す画像処理を、例えばスケーリング処理とＩ／Ｐ変換処理に限定し、これら画像処理に必要な画像処理回路のみを選択して動作させることで、画像処理／表示出力部３２における画像処理に伴う消費電力を低減することができる。また、電池残量が少なくなっても画像処理の全てを停止しないので、画像品質を維持することができる。
【００７８】
次に、電池残量（寿命）が２０％未満〜１０％であることを示す情報が通知された場合について説明する。  
この場合、ＣＰＵ２０は、例えば、画像処理／表示出力部３２における入力画像記憶部４０、出力画像記憶部４５のみを選択する。
【００７９】
画像処理／表示出力部３２は、映像デコード部３０によってデコードされた映像データを入力画像記憶部４０を介して入力し（ステップＡ１）、出力画像記憶部４５を介して表示デバイス１８へ出力させる（ステップＡ３）。
【００８０】
こうして、電源供給源が電池であり、電池残量が非常に残り少なくなり警告状態となった場合（２０％未満）には、高品質化を図るための画像処理を実行しないようにして動作可能時間の延長を図るようにできる。
【００８１】
このようにして、第１実施形態のデジタル放送受信機１０では、電源部１６により判別される電源供給源や電池残量（寿命）の状態に応じて、画像処理／表示出力部３２によって実行する画像処理技術や画像処理解決手段（動き適用型、３次元処理、２次元処理）を実現する
なお、前述した説明では、電源供給源の状態を判別しているが、映像入力状態や映像出力状態を判別して画像処理回路を選択するようにしても良い。例えば映像入力状態としては、例えば４８０ｉ、４８０ｐ、７２０ｉ、７２０ｐ、１０８０ｉ、１０８０ｐを判別する。また、映像出力状態としては、ＱＶＧＡ、ＶＧＡ（Video Graphics Array）、ＳＶＧＡ（Super ＶＧＡ）、ＸＧＡ（Extended Graphics Array）を判別する。例えば、映像入力あるいは映像出力のデータ量が多い程、画像処理／表示出力部３２において、より多くの画像処理技術を用いた画像処理を施すようにする。
【００８２】
さらに、表示デバイス１８（液晶ディスプレイ）のバックライト輝度状態を判別し、この状態に応じて画像処理／表示出力部３２における画像処理回路を選択して画像処理を実行させるようにしても良い。
【００８３】
（第２実施形態）  
第２実施形態におけるデジタル放送受信機１０の動作について説明する。  
第２実施形態では、電源供給源が電池である場合に、電池残量をもとに各画像品質を用いた場合の予想視聴可能時間を算出し、ユーザにより何れかの画像品質を選択させ、この選択に応じて画像処理／表示出力部３２を構成する各画像処理部を選択的に使用して画像処理を実行させる。
【００８４】
第２実施形態では、図３（ｂ）に示す各電源供給状態が電源部１６により判別され、Ｉ／Ｏ部２４によりＣＰＵ２０に通知されるものとする。すなわち、電源供給源がＡＣ電源であるか電池であるか、さらに電源供給源が電池である場合に電池残量（寿命）が１００％〜９０％以上、ＸＸ％未満〜ＹＹ％以上（「ＸＸ」「ＹＹ」は任意の値）、２０％未満〜１０％以上、１０％未満の場合のそれぞれの電源供給状態が通知されるものとする。
【００８５】
次に、第２実施形態の動作について、図５に示すフローチャートを参照しながら説明する。
【００８６】
電源部１６は、ＡＣアダプタが挿入された状態にあるか、すなわち電源供給源がＡＣであるか、あるいは電池であるかを判別する。Ｉ／Ｏ部２４は、電源部１６により判別される電源供給源を示す情報を、割り込み処理によってＣＰＵ２０に対して通知する。
【００８７】
まず、ＡＣアダプタによって電力が供給されている場合（ステップＢ１）、電池寿命を考慮する必要がないため、ＣＰＵ２０は、画像処理／表示出力部３２に対して、最高の画質特性（超高画質）が得られる画像処理が実行されるように画像処理回路を選択する（ステップＢ２）。
【００８８】
例えば、画像処理／表示出力部３２における２次元処理部４７、３次元処理部４８のブロックの機能を停止させ、その他の画像処理回路を用いて画像処理が実行されるように制御する。なお、この場合の画像処理／表示出力部３２における処理については、第１実施形態と同様にして実行されるものとして詳細な説明を省略する。
【００８９】
画像処理／表示出力部３２は、超高画質が得られるように各画像処理が施された画像データを、表示デバイス１８へ出力して表示させる（ステップＢ３）。
【００９０】
こうして、電源供給源がＡＣである場合には、全ての画像処理技術を用いて、最も画像品質の向上が図れるように画像処理回路が選択されて、画像データに対して画像処理が施される。
【００９１】
次に、電池から電力供給されている場合について説明する。  
ＣＰＵ２０は、Ｉ／Ｏ部２４から割り込み処理によって通知される電池残量（寿命）をチェックし、例えば図３（ｂ）に示す電源供給状態の何れに該当するかを判別する（ステップＢ４）。
【００９２】
ＣＰＵ２０は、Ｉ／Ｏ部２４から通知された電池残量をもとに、各画質（モード）を得るための画像処理を画像処理／表示出力部３２によって実行させた場合の利用可能時間、すなわち残りの予想視聴可能時間を算出する（ステップＢ５）。
【００９３】
図６には、各画質（モード）における予想視聴可能時間を示す情報の一例を示している。画質（モード）としては、５種類（超高画質、高画質、標準（中）画質、低画質、超低画質）が設定可能となっている。
【００９４】
例えば、超高画質モードの場合には、有効画像処理機能として、スケーリング処理、Ｉ／Ｐ変換処理、輪郭補正処理、コントラスト（自動）調整処理の各画像処理が実行されるものとしている。また、有効解決手段としては、動き適応型処理が実行されるものとする。
【００９５】
高画質モードの場合には、有効画像処理機能が超高画質の場合と同じであるが、有効解決手段として３次元処理が実行されるものとする。  
標準（中）画質モードの場合には、有効画像処理機能が超高画質の場合と同じであり、有効解決手段として２次元処理が実行されるものとする。
【００９６】
低画質モードの場合には、有効画像処理機能として、スケーリング処理とＩ／Ｐ変換処理飲みを実行し、有効解決手段として２次元処理が実行されるものとする。
【００９７】
超低画質モードの場合には、画像品質を向上させるための画像処理を実行せず、映像デコード部３０によってデコードされた映像データをそのまま出力させるものとする。
【００９８】
各モードの有効画像処理機能を実行するために、画像処理／表示出力部３２に設けられた画像処理回路を選択的に使用することにより、消費電力が異なってくる。例えば、現在の電池の残量において超高画質のモードが選択された場合に、予想視聴可能時間が１時間とすると。高画質モードの場合の予想視聴可能時間は１時間３０分となり、同様にして標準（中）画質モードの場合には２時間、低画質モードの場合には２時間３０分、超低画質モードの場合には３時間となる。
【００９９】
ＣＰＵ２０は、各画質（モード）のそれぞれに対応する利用可能時間の一覧を、選択表示メニューとして表示デバイス１８において表示させる。図７には、選択表示メニュー画面の一例を示している。選択表示メニューでは、１〜５の各画質モードについてのそれぞれの予想視聴可能時間が表示されている。
【０１００】
ここで、視聴者により図示せぬ入力装置に対する操作により何れかの画質モードが選択されると、ＣＰＵ２０は、選択された画質モードに応じて、画像処理／表示出力部３２の画像選択回路を選択して、映像デコード部３０によってデコードされた映像データに対して画像処理を施して、表示デバイス１８において表示出力させる。
【０１０１】
なお、各画像モードにおける画像処理／表示出力部３２の処理については、第１実施形態と同様にして実行されるもとして詳細な説明を省略する。
【０１０２】
このようにして、電源供給源や電池残量をもとに算出される予想視聴可能時間を参考にして、視聴者が画像品質を選択することができるので、視聴者が必要とする視聴可能時間を確保しながら（電力の消費を低減させながら）、可能な限り高品質な画像が得られるように画像処理を施すことができる。
【０１０３】
（第３実施形態）  
次に、第３実施形態について説明する。  
第３実施形態は、前述した第１実施形態または第２実施形態と同様の機能を有するデジタル放送記録装置である。
【０１０４】
第３実施形態のデジタル放送記録装置は、画像処理／表示出力部３２によって画像処理が施された画像データを記録する記録機能が設けられている他は、図１において示す構成を有するものとして詳細な説明を省略する。
【０１０５】
第１実施形態または第２実施形態において説明した機能をデジタル放送記録装置に適用することによって、デジタル放送記録装置において記録する場合に前述と同様の効果を得ることが可能となる。
【０１０６】
なお、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１０７】
【図１】本発明の本実施形態におけるデジタル放送受信機１０のシステム構成を示すブロック図。
【図２】本実施形態における画像処理／表示出力部３２の詳細な構成を示す図。
【図３】第１実施形態及び第２実施形態において判別される電源供給状態の一例を示す図。
【図４】第１実施形態の画像処理／表示出力部３２における動作について説明するためのフローチャート。
【図５】第１実施形態の動作について説明するためのフローチャート。
【図６】第２実施形態における各画質（モード）における予想視聴可能時間を示す情報の一例を示。
【図７】第２実施形態における選択表示メニュー画面の一例を示す図。
【符号の説明】
【０１０８】
１０…デジタル放送受信機、１２…本体部、１４…アンテナ、１６…電源部、１８…表示デバイス、２０…ＣＰＵ、２１…メインメモリ、２２…ＲＯＭ、２３…フラッシュメモリ、２４…Ｉ／Ｏ部、２６…チューナ、２７…復調部、２８…デコード部、２９…音声デコード部、３０…映像デコード部、３２…画像処理／表示出力部、４０…入力画像記憶部、４１…スケーリング部、４２…Ｉ／Ｐ変換処理部、４３…コントラスト自動調整部、４４…輪郭補正処理部、４５…出力画像記憶部、４６…フレームメモリ、４７…２次元処理部、４８…３次元処理部、４９…動き適応型処理部、５０…前画像フレームメモリ。
【図１】
2005192134.tif 000003
【図２】
2005192134.tif 000004
【図３】
2005192134.tif 000005
【図４】
2005192134.tif 000006
【図５】
2005192134.tif 000007
【図６】
2005192134.tif 000008
【図７】
2005192134.tif 000009